(57)【要約】【課題】  受信可能なチャンネルを検出するサーチ機能を備え、リモコンによる対応が可能なデジタル放送装置を提供すること。【解決手段】  ＣＰＵ６と受信状態検出部１０を備え、受信可能なチャンネルをサーチしてメモリ１１に格納し、このメモリ１１に格納されたチャンネルをＯＳＤ表示部７に表示して受信が行なえるようにした放送受信装置において、サーチしたチャンネルが登録済みチャンネルか否かを判定する判定部１４を設け、この判定部１４による判定条件と、ＯＳＤ表示部７による判定結果の表示条件がリモコン１３により設定できるようにしたもの。【選択図】図１
2008109695.tif 000002
【特許請求の範囲】
【請求項１】
受信可能なチャンネルを検出するサーチ手段が備えられている放送受信装置において、
前記サーチ手段により検出された受信可能なチャンネル一覧を記憶する手段を設け、
前記チャンネル一覧を記憶する手段は、１つの受信エリアに対して、複数のチャンネル一覧を記憶することを特徴とする放送受信装置。
【請求項２】
前記受信可能なチャンネル一覧の中で、任意のチャンネルからなるチャンネル一覧を登録する手段を更に備えることを特徴とする請求項１に記載の放送受信装置。
【発明の詳細な説明】
【技術分野】
【０００１】
本発明は、受信可能チャンネルをサーチする機能が備えられた放送受信装置に係り、特に、サーチ機能の利便性向上が図られているデジタル放送受信装置に関する。
【背景技術】
【０００２】
受信バンド内に放送チャンネルを多数有するデジタル放送受信装置の場合、受信可能なチャンネルを予めサーチし、記憶しておくことができるようにしたデジタル放送受信装置が従来から知られている(例えば、特許文献１参照。)。
【０００３】
そこで、この従来技術について、図６により説明すると、まず、ここで説明するデジタル放送受信装置１０３は、ＭＰＥＧ(Moving Picture Experts Group)方式に準拠して、映像／音声データをビットストリームとしてデジタル変調するＯＦＤＭ(Orthogonal Frequency Dibision Multeplex)方式などによりデジタル地上波放送システムを対象としたものである。
【０００４】
そして、この図６に示すように、まずアンテナ１０２で受信された放送波は、所定のチャンネルの選択が可能なチューナー部１に入力され、復調回路２でベースバンドの信号に復調された後、誤り訂正部３によりデータの誤り訂正を施した後、トランスポートＤＥＭＵＸ４で、ビットストリームから映像データと音声データを分離し、分離した映像データと音声データがＭＰＥＧデコーダ５で復号される。
【０００５】
こうして復号された映像データは、ビデオエンコーダ８により、例えばＮＴＳＣ方式など、所定のテレビジョン標準方式に変換され、映像信号として出力される。他方、復号された音声データは、音声ＤＡＣ(Ａ／Ｄ変換器)９でアナログ信号に戻され、音声信号として出力される。
【０００６】
このとき、デジタル放送受信装置１０３全体の制御はＣＰＵ６が行なう。そして、まずＯＳＤ(On Screen Display)表示部７は、ＣＰＵ６の指示により、例えば受信が可能なチャンネルのリストなど、各種の付加データを映像データに重畳して表示したり、或いは切換えて表示する。
【０００７】
更に受信状態検出部１０が設けてあり、これによりチューナー部１で選択されたチャンネルの受信状態を検出し、ＣＰＵ６に制御信号が送出されるようにしてあるが、これは、受信された電波の状態変化、ひいては選択されたチャンネルの受信状態の変化を監視し、受信の可否を判断するためである。
【０００８】
このときの受信状態検出部１０での受信状況の検出は、誤り訂正部３でデータエラーの頻度を検出し、この頻度が所定の値よりも多くなった場合、受信不能と判断するなどの方法によって行なわれる。
【０００９】
ここで、このデジタル放送受信装置１０３は、詳しい説明は割愛するが、ユーザーが使用をやめ、動作モードからスタンバイ(待機)モードに移行したとき、ＣＰＵ６の制御のもとで、以下の動作を行なうようになっている。
【００１０】
スタンバイモードに入ったら、まず、地上波放送で使用されている周波数帯を順に検索していく。そして、選択された周波数に含まれるチャンネルの受信状態を調べ、受信状態が良く、且つ、これまで受信できていなかったチャンネルがあった場合、新たに受信が可能になったチャンネルとしてリストに登録し、メモリ１１に格納する。
【００１１】
そして、この動作手順を全ての周波数帯にわたって実行した後、本来のスタンバイモードになり、動作モードになるのを待つのである。
【００１２】
従って、このデジタル放送受信装置１０３によれば、ユーザーが使用していない間に受信状態が自動的に調べられ、新たに受信できるようになったチャネルの検索が自動的に得られ、この結果、ユーザーは、煩わしい操作をすることなく、表示させたリストを見るだけで、常に最新の受信可能チャネルの中から任意に好みのチャネルを選択することができる。
【００１３】
【特許文献１】特開２０００−３３２６３３号公報
【発明の開示】
【発明が解決しようとする課題】
【００１４】
上記従来技術は、放送の多チャンネル化に配慮がされておらず、操作の利便性保持に問題が残っていた。
【００１５】
すなわち、従来技術では、受信可能なチャンネルの数が多くなると、リストからチャンネルを探し出すのに手間がかかるようになるので、利便性に問題が残ってしまうのである。
【００１６】
本発明の目的は、チャンネル数が多くなっても必要なチャンネルの選択が容易に得られるようにした放送受信装置を提供することにある。
【課題を解決するための手段】
【００１７】
上記目的は、受信可能なチャンネルを検出するサーチ手段が備えられている放送受信装置において、前記サーチ手段により検出された受信可能なチャンネル一覧を記憶する手段を設け、１つの受信エリアに対して、複数のチャンネル一覧が記憶されるようにして達成される。
【００１８】
このとき、受信可能なチャンネル一覧の中で、任意のチャンネルからなるチャンネル一覧を登録する手段が更に備えられるようにしても、上記目的が達成できる。
【発明の効果】
【００１９】
本発明によれば、一つの受信エリアに対して複数のチャンネル一覧を設けることができるので、ユーザーは希望するチャンネルが含まれるチャンネル一覧を選択することにより容易に選局が可能となるので、利便性が増す。
【発明を実施するための最良の形態】
【００２０】
以下、本発明によるデジタル放送受信装置について、図示の実施の形態により詳細に説明する。ここで、図１は、本発明によるデジタル放送受信装置の一実施形態であるが、このとき、図６に示した従来技術と同一の構成要素には同一の符号が付してある。
【００２１】
従って、この図１の実施形態でも、アンテナ１０２で受信された放送波は所定のチャンネルを選択するチューナー部１に入力され、復調回路２でベースバンドに復調される点は、図６の場合と同じであり、誤り訂正部３でデータの誤りを訂正した後、トランスポートＤＥＭＵＸ４でビットストリームから映像データと音声データが分離され、分離した映像データと音声データはＭＰＥＧデコーダ５で復号される点も同じである。
【００２２】
更に、この後、復号された映像データは、ビデオエンコーダ８でテレビジョンの標準方式に変換されて出力され、音声データは、音声ＤＡＣ９でアナログ音声信号に変換されて出力される点も同じであり、全体の制御を行うためのＣＰＵ６と、このＣＰＵ６からの指示により各種付加データを前記映像データに重畳し、或いは切換えて表示するＯＳＤ表示部７を備えている点も同じであり、更に、チューナー１で選択されたチャンネルの受信状態を受信状態検出部１０で検出している点も同じである。
【００２３】
また、これにより、スタンバイモードに入ったら、地上波放送で使用されている周波数帯を順に検索して、選択された周波数に含まれるチャンネルの受信状態を調べ、受信状態が良く、且つ、これまで受信できていなかったチャンネルがあった場合、新たに受信が可能になったチャンネルとしてリストに登録し、メモリ１１に格納する点と、この動作手順を全ての周波数帯にわたって実行した後、本来のスタンバイモードになり、動作モードになるのを待つ点も同じである。
【００２４】
そして、これらの結果、ユーザーは、煩わしい操作をすることなく、リストを見るだけで、常に最新の受信可能チャネルの中から任意に好みのチャネルを選択することができる点も同じである。
【００２５】
ここで、この図１の実施形態の場合、ブロック構成上では、図６の構成に対して、更にプリセットデータベース１２とリモコン１３、判定部１４、それに表示画面作成部１５が付加され、これに対応して、ＣＰＵ６による制御内容も異なっているものである。
【００２６】
図１において、まず、プリセットデータベース１２は、後述するプリセット機能により、受信可能であると予想されるチャンネルを記憶する働きをする。ここで、このプリセット機能には、地域情報を入力し、対応する放送周波数情報を取得する方法や、全周波数に対して受信可能なチャンネルをサーチするといった方法が採用される。
【００２７】
このときのチャンネルサーチに必要な受信状態検出について、図１の実施形態では、誤り訂正部３で検出したデータエラー頻度に基づいて受信状態を検出する場合の例を示したが、この方法に限らず、受信レベルが所定の値よりも大きくなった場合に受信可能と判断する方法や、同期がとれた場合に受信可能と判断する方法などを採用しても良い。
【００２８】
次に、判定部１４は、選局したチャンネルがプリセットデータベース１２に記憶されているかどうかを判定し、既に登録されているチャンネルと、今回のサーチにより新規に追加されたチャンネルを区別する働きをする。
【００２９】
ここで、リモコン１３と表示画面作成部１５については、以下の動作説明の中で触れることにし、以下、本発明の第１の実施形態によるサーチ動作手順について説明する。
【００３０】
まずリモコン１３には、サーチを開始するためのボタンを設けておくか、メニュー画面からサーチを行うための操作ができるようにしておき、ユーザーがこれらの操作を行うと、ＣＰＵ６が受信装置１０３をサーチモードに移すようになっている。
【００３１】
このとき、リモコン１３のキーからチャンネルを入力するか、メニュー画面からチャンネルを選択することで、サーチを開始するチャンネルが指定できるようにするが、ここで、このリモコン１３としては、赤外線伝送方式によるものが一般的であるが、その他、無線伝送方式でも超音波伝送方式であっても良い。
【００３２】
こうしてサーチモードに移ると、ＣＰＵ６の指示により、指定された周波数から上方向、又は下方向に、信号が受信されるまで順番にチャンネルを切換えて行く。
【００３３】
そしてサーチ中は、サーチの進行状況がＯＳＤ表示部７の画面に表示されるようにし、このため受信状態検出部１０より、選局したチャンネルが受信可能と判定された場合、判定部１４は、選局したチャンネルがプリセットデータベース１２に記憶されているかどうかを判定し、表示画面作成部１５により、既に登録されているチャンネルと、今回のサーチにより新規に追加されたチャンネルとを区別してユーザーに表示させる。
【００３４】
図２は、この実施形態において、サーチの進行状況とチャンネル一覧を提示するために表示画面作成部１５により作成される表示画面の一例で、図示したように、サーチ選局を行った周波数帯域に受信可能となる放送局が存在するか否かの判定が終了次第、対応するチャンネル番号が示す領域の色を変更する等の処理により、サーチの進行状況を示すことができる。
【００３５】
サーチの進行状況を示すためのその他の例としては、サーチが終了したチャンネル番号に、「○」、「→」などの何らかの印を付すといった方法を用いてもよい。このとき、チャンネル番号を用いることなく、対応する周波数を表示して進行状況が判るようにしても良い。
【００３６】
ここで、いま、あるチャンネルが選局可能になった場合は、そのチャンネルがプリセットデータベース１２に記録されているか否かを判定し、新規チャンネルなのか、或いはデータベースに登録済みのチャンネルなのかを、色、光、音などを利用してユーザーに提示する。
【００３７】
図２では、新規チャンネル(サーチにより新規に受信可能となるチャンネルのこと)が見つかった場合のユーザーへの提示手段の一例として、リモコン番号の２、４、６、８、１２番には既にプリセットにより登録されているものとし、登録済みチャンネル一覧が表示されている。
【００３８】
そして、このとき、同一画面内に「新規チャンネルが見つかりました」、「プリセットされているチャンネルです」といったアイコンなど、ある周波数で選局された場合に、新規であるのか登録済みであるのかを示すための表示がされるようにする。
【００３９】
この図２の例では、サーチを行い、リモコンキーのＩＤが１０になっている放送局Ｅが受信された場合、「新規チャンネルが見つかりました」というアイコンを点灯させるとともに、チャンネル一覧表に放送局Ｅを加え、他のチャンネルと区別するために、色を変えて表示している。
【００４０】
このとき、受信されたチャンネルがプリセット登録されていたときは、「プリセットされているチャンネルです」というアイコンを点灯させ、チャンネル一覧におけるテレビ局Ｅの領域の色を変更させればよい。
【００４１】
なお、この図２の実施形態では、受信可能なチャンネル一覧に３桁番号、チャンネル番号、放送局名が表示されるようになっているが、本発明の実施形態は、これに限らず、地域識別、地域事業者識別、事業者名、ＴＳ(Toll Switch)名、ネットワーク名、network_id、transport_stream_id、remote_control_key_id、３桁番号＋枝番などを表示させるようにしてもよい。
【００４２】
ところで、登録されているチャンネル一覧の画面表示は、図２に示した表のような形に限らず、図３、図４、図５に示すような簡易な表示にしてもよい。
【００４３】
ここで、まず図３は、新規チャンネルを区別させるために、プリセットされているチャンネルは簡易表示、新規チャンネルは詳細表示とした場合の画面表示の一例である。
【００４４】
次に図４と図５は、双方のチャンネルとも簡易表示にした上で、新規チャンネルについてはアイコンの形状(図４)や色(図５)を変化させ、これにより登録済みのチャンネルと区別するようにした場合の画面表示の一例である。
【００４５】
このとき、図４では、方形のアイコンが登録済みチャンネルを表わし、丸形のアイコンが新規チャンネルを表わす。つまり画像の種別により区別される。
【００４６】
次に、図５では、色分けされたアイコン数字(ここでは数字１０が別の色)が新規チャンネルで、つまり色分けにより区別されているが、ここで、アイコンに代えてロゴマークを用いてもよい。
【００４７】
また、図２の例では、新規チャンネルや登録済みのチャンネルが選局された場合、アイコンの点灯、つまり発光表示によりユーザーに知らせるようにしているが、この方法に限らず、新規チャンネルが見つかったこと、あるいは登録済みのチャンネルが見つかったことを、音声やピープ音などの音響、つまり発音表示によりユーザーに知らせる方法や、画面表示による報知と音響による報知の両方を用いる方法でもよく、或いはランプの点灯など発光表示による方法でもよい。
【００４８】
次に、本発明の他の実施形態について説明すると、まず第２の実施形態は、複数の受信エリアに対応した複数のチャンネル一覧を記憶するようにしたものである。
【００４９】
このため、サーチを行った後、対応する地域情報と関連付けて受信可能なチャンネル一覧をプリセットデータベース１２に記憶し、他の地域でサーチを行う場合は、予めプリセットを行う際、対応する地域情報と関連付けて受信可能なチャンネル一覧を記憶しておき、サーチを行った場合は対応する地域のデータベースを更新するようになっている。
【００５０】
従って、この第２の実施形態によれば、ユーザーが受信エリアの異なる地域に移動した際、過去にその地域でプリセットを行ったことかある場合は、再びプリセットを行う必要がなく、利便性が向上する。
【００５１】
例えば、或るユーザーが地域Ａにおいて、地域コードＡを入力してプリセットを行い、その後、サーチを行ったとする。この場合は、サーチ後に受信可能であると判断されたチャンネル一覧を、地域コードＡと関連付けられたチャンネル一覧のデータベースに記録する。
【００５２】
ここで、更にユーザーが地域Ｂに移動し、地域コードＢを入力してプリセットを行ったとすると、このときは受信可能なチャンネル一覧を地域コードＢと関連付けて記憶する。そして、その後、サーチを行った場合は、受信可能なチャンネル一覧を、地域コードＡのチャンネル一覧とは区別して、地域コードＢに対応するデータベースに記録する。
【００５３】
こうすると、ユーザーが地域ＡからＢへ移動し、再びＡに戻った場合、地域コードＡを入力し、プリセットデータベースに記録していた受信チャンネル一覧を読み出すことで、再びプリセットを行うことなくサーチすることができ、利便性が高まる。
【００５４】
ところで、この例では、受信可能となるチャンネル一覧を地域コードと関連付けて記憶し、前記チャンネル一覧の読み出しに地域コードを入力する方法が用いられていた。
【００５５】
しかし、他の方法として、ユーザーが或る地域のチャンネル一覧を読み出すべく意図したとき、プリセットデータベース１２に記憶されているデータベースの一覧を表示し、表示された一覧の中から対応するチャンネル一覧をユーザーに選択させるといった方法等も考えられ、この場合は、プリセット時に地域情報とチャンネル一覧を関連付けする必要がなくなる。
【００５６】
また、このとき、１つの受信エリアに対して、複数のチャンネル一覧が記憶できるようにしてもよく、この場合は、例えば１台の受信装置を複数のユーザーで利用する際、各自一人ずつ専用のチャンネル一覧を持つことができ、従って、好みのチャンネルだけ登録したり、リモコンへの登録番号を自由に変更したりすることができる。
【００５７】
また、放送の多チャンネル化が進むと、リモコンに備えられている数字キーの個数に収まらなくなってしまうが、この場合でも、上記実施形態によれば、一つの受信エリアに対して複数のチャンネル一覧を設けることができるので、ユーザーは希望するチャンネルが含まれるチャンネル一覧を選択することで、対応するリモコンキーからの選局が可能となり、利便性が増す。
【００５８】
次に、本発明の第３の実施形態について、新規或いはプリセットされている周波数で選局された後の処理を例にして説明すると、この実施形態では、或る周波数で選局されたときサーチ動作を停止し、どのチャンネルが選局されたのかを表示させ、更にユーザーが望んだ場合はリモコンキーＩＤの設定モードに移るようにしたものである。
【００５９】
ここで、このリモコンキーＩＤは、放送局から送信される情報に基づいて自動的に設定されるが、これを変更したい場合は、ユーザーの望むリモコンへの登録番号を設定し、プリセットデータベース１２に記憶する。
【００６０】
但し、既にユーザーがリモコンへの登録番号を変更していて、新規に受信可能となったチャンネルにおけるリモコンキーＩＤと重複した場合には、どちらかのリモコンへの登録番号を変更する必要があることをユーザーに告知する。
【００６１】
次に、本発明の第４の実施形態として、サーチ動作したときプリセットデータベースに登録されているチャンネルはスキップし、新規に受信可能となるチャンネルのみサーチし、これをユーザーに報知できるようにした実施形態について説明する。
【００６２】
ここで、この第４の実施形態では、例えばリモコン１３に、新規に受信可能なチャンネルのみサーチするためのボタンを設けておき、このボタンが押されることにより新規チャンネルサーチモードに移るようにしてあるが、この新規チャンネルサーチモードに移るための操作としては、この他にも、例えばリモコン１３に設けられているサーチを行うために使用するボタンを数秒間押しつづける方法や、メニュー画面から操作する方法などが考えられる。
【００６３】
このようにして新規チャンネルサーチモードに移ると、通常のサーチ動作と同様に、同調周波数を順次変化させ、次々と選局する処理をＣＰＵ６の制御のもとで実行する。そして、受信状態検出部１０により受信可能なチャンネルが発見されると、当該チャンネルがプリセットデータベース１２に記憶されているか否かを判定し、記憶されていた場合は次の周波数のサーチを行う。
【００６４】
一方、記憶されていなかった場合は、通常のサーチと同様、新規に受信可能なチャンネルが存在することを画面に表示させ、その後、ユーザーが望む場合は、次の周波数から再びサーチを行ない、これを繰り返すことにより全ての周波数がサーチされ、新規に受信可能な全てのチャンネルをサーチすることができる。
【００６５】
ここで、この実施形態では、新規チャンネルが選局された時点でサーチ動作を停止し、この情報が表示されユーザーに報知されるようにした例が示されているが、全チャンネルをサーチした後、新規に受信可能となるチャンネルを全て表示させるようにしてもよい。
【００６６】
次に、本発明の第５実施形態として、地域識別、地域事業者識別、事業者名、ＴＳ名、ネットワーク名、network_id、transport_stream_id、remote_control_key_id、３桁番号、３桁番号＋枝番など、何れかの情報が変更されていた場合には、変更された情報をユーザーに報知されるようにした実施形態について説明する。
【００６７】
いま、サーチ動作により選局された周波数が既にプリセットデータベース１２に記憶されていたとすると、ここで、ＣＰＵ６は、再生されたトランスポートストリームからＮＩＴ(Network Information Table)を抽出し、このＮＩＴから、地域識別、地域事業者識別、事業者名、ＴＳ名、ネットワーク名、network_id、transport_stream_id、remote_control_key_id、３桁番号、枝番等の各情報を取り出し、プリセットデータベース１２に登録されている情報と比較する。
【００６８】
そして、これらの各情報のうち、何れかがプリセットデータベース１２に登録されている情報と異なっていた場合は、異なっている情報が画面に表示されるようにするのである。
【００６９】
従って、この実施形態によれば、情報が変更された場合、それがユーザーに報知される上、ユーザーは何れの情報が変更されたのか一目瞭然のもとに知ることができる。
【００７０】
次に、本発明の第６の実施形態として、３桁番号を入力し、それに対応する放送局を探すようにした実施形態について説明する。この場合、まず、リモコン１３に、３桁番号からのサーチモードに移るための専用のボタン、或いはメニュー画面から操作するための手段を設けておく。
【００７１】
そして、これらのボタン又は手段により上記したモードに移ったら、ユーザーにサーチしたい３桁番号の入力を促す。その後、３桁番号の入力をまって、通常のサーチと同様、ＣＰＵ６からの指示により順次サーチを行なう。
【００７２】
こうして選局可能なチャンネルが発見されたらサーチを一時停止し、取得したＮＩＴの３桁番号と比較し、両者が一致した場合は、ここでサーチを終了させ、発見されたチャンネルを表示し、このチャンネルの情報がユーザーに報知されるようにする。
【００７３】
一方、３桁番号が一致しなかった場合は周波数サーチを続行し、この動作をユーザーの入力した３桁番号と一致するチャンネルが選局されるまで繰り返し、対応するチャンネルの受信は不可能であると判定されるまで、全周波数にわたってサーチを行うのである。
【００７４】
従って、この実施形態によれば、サーチ処理を３桁番号の入力から行なわせることができ、多様な入力操作に対応させることによる利便性の向上を得ることができる。
【００７５】
ここで、上記の実施形態では、３桁番号の入力により、対応するチャンネルをサーチするようになっているが、本発明の実施形態としては、３桁番号に限らず地域識別、地域事業者識別、事業者名、ＴＳ名、ネットワーク名、network_id、transport_stream_id、remote_control_key_id、３桁番号＋枝番等のうちの少なくとも１つの情報をユーザーが入力若しくは選択することにより、対応するチャンネルのサーチが得られるようにしてもよい。
【００７６】
従って、上記した本発明の各実施形態によれば、サーチ動作後、選局されたチャンネルがプリセットされているのか、新規チャンネルであるのかが一目瞭然にでき、同じチャンネルを複数のリモコンキーに設定してしまう虞れを防止することができる。
【００７７】
また、上記した各実施形態によれば、サーチ中、サーチがどの程度まで進んでいるのか、どの周波数をサーチしているのかなどの情報が表示されることで、残りのサーチに要する時間が推測可能となるなど、利便性に富んだサービスが提供できる。
【００７８】
更に上記した各実施形態によれば、受信エリアの異なる地域への移動を繰り返した場合でも、移動するたびにプリセットを行う手間が省け、ユーザーの負担を減らし、高い利便性をもたらすことができる。
【図面の簡単な説明】
【００７９】
【図１】本発明による放送受信装置の一実施形態例を示すブロック構成図である。
【図２】本発明の一実施形態による画面表示の一例を示す説明図である。
【図３】本発明の一実施形態による画面表示の他の一例を示す説明図である。
【図４】本発明の一実施形態による画面表示の更に別の一例を示す説明図である。
【図５】本発明の一実施形態による画面表示の更に別の一例を示す説明図である。
【図６】従来技術による放送受信装置の一例を示すブロック構成図である。
【符号の説明】
【００８０】
１  チューナー
２  復調回路
３  誤り訂正部
４  トランスポートＤＥＭＵＸ
５  ＭＰＥＧデコーダ
６  ＣＰＵ
７  ＯＳＤ表示部
８  ビデオエンコーダ
９  音声ＤＡＣ(Ａ／Ｄ変換器)
１０  受信状態検出部
１１  メモリ
１２  プリセットデータベース
１３  リモコン(遠隔操作器)
１４  判定部
１５  表示画面作成部
１０２  アンテナ
１０３  デジタル放送受信装置(全体)
【図１】
2008109695.tif 000003
【図２】
2008109695.tif 000004
【図３】
2008109695.tif 000005
【図４】
2008109695.tif 000006
【図５】
2008109695.tif 000007
【図６】
2008109695.tif 000008